(57)【要約】【課題】  従来のカメラでは、異なる操作キーを同時押してロック機構を解除するため、複数のキーの中からどのキーを同時押しすれば良いのか分からなくなる場合があった。【解決手段】  モードダイヤル７に対してその回転方向と停止位置とで定まる所定の繰り返し操作を行うことによって、その操作はＳ１およびＳ１４で検出され、セキュリティロック解除コマンドを簡易的にカメラに入力することができる。このため、従来のカメラのように、異なるキーを同時操作する必要がなく、カメラを持ち替えたりする必要が生じないため、コマンド入力操作の利便性がよくなる。また、モードダイヤル７に対して所定の繰り返し操作を行うことによってコマンドを入力することにより、従来のカメラのように、どのキーを同時押しすれば良いのか分からなくなるといった不都合も生じなくなる。【選択図】  図２
2010166134.tif 000002
【特許請求の範囲】
【請求項１】
回転操作部材の回転操作と停止操作との所定の繰り返し操作によってコマンドを入力する前記回転操作部材からなる入力手段と、前記回転操作部材の回転方向と前記回転操作部材の停止位置との組み合わせの種類によって定められている前記入力手段で入力されたコマンドを検出するコマンド検出手段と、このコマンド検出手段で検出されたコマンドに応じた制御を行う制御手段とを備えたことを特徴とする撮影装置。
【請求項２】
請求項１に記載の撮影装置において、
前記コマンドはセキュリティロック解除コマンドであり、
前記制御手段は、前記入力手段によって入力された前記コマンドが前記コマンド検出手段によって検出されると、所定の動作を制限するセキュリティロックを解除することを特徴とする撮影装置。
【請求項３】
請求項２に記載の撮影装置において、
前記制御手段は、電源スイッチがオフに切り換えられている状態の時に前記コマンドが前記コマンド検出手段によって検出されると、セキュリティロックを解除して所定の動作の制限を解くことを特徴とする撮影装置。
【請求項４】
請求項２に記載の撮影装置において、
前記制御手段は、電源スイッチがオンに切り換えられている状態の時に前記コマンドが前記コマンド検出手段によって検出されると、セキュリティロックを解除して所定の動作の制限を解くことを特徴とする撮影装置。
【請求項５】
請求項２に記載の撮影装置において、
前記制御手段は、電源スイッチがオンに切り換えられていて動作を一時停止している待機状態で、セキュリティロックが掛けられている時に、前記コマンドが前記コマンド検出手段によって検出されると、前記待機状態を解除すると共に、セキュリティロックを解除して所定の動作の制限を解くことを特徴とする撮影装置。
【請求項６】
請求項４または請求項５に記載の撮影装置において、
セキュリティロックが掛けられた状態で、制限されている所定の動作を起動する操作が行われると、セキュリティロックが掛けられている状態であることを表示する表示手段を備えていることを特徴とする撮影装置。
【請求項７】
請求項１に記載の撮影装置において、
前記コマンドは設定切換コマンドであり、
前記制御手段は、前記コマンドが前記コマンド検出手段によって検出されると、前記コマンドに対応した撮影条件の設定に切り換えることを特徴とする撮影装置。
【発明の詳細な説明】
【技術分野】
【０００１】
本発明は、入力手段で入力されたコマンドに応じた制御を行う制御手段を備えた撮影装置に関するものである。
【背景技術】
【０００２】
従来この種の撮影装置としては、例えば、特許文献１に開示されたデジタルカメラがある。このデジタルカメラには、メモリーカードが着脱されるカードスロットを覆うスロットカバーが設けられている。このスロットカバーは、メモリーカードの装填操作および取り出し操作が可能となる開放位置と、装填されたメモリーカードを覆う閉じ位置とで開閉され、ロック機構により閉じ位置にロックされる。ロック機構は、実行キーとキャンセルキーの異なる２つのキーを同時押しすることで出力されるロック解除信号と、メモリに記憶されたロック解除コードとが一致した場合に、スロットカバーのロックを解除する。
【特許文献１】特開２００４−２０１１２８号公報
【発明の開示】
【発明が解決しようとする課題】
【０００３】
しかしながら、上記従来のデジタルカメラは、実行キーとキャンセルキーの２つの操作キーを同時押してロック機構を解除する際、デジタルカメラ本体の異なる箇所に設けられた複数のキーの中から、どの２つのキーを同時押しすれば良いのか分からなくなる場合がある。また、ロック解除を行う際には実行キーとキャンセルキーとの異なる２つのキーを同時操作しなければならず、デジタルカメラを持ち替えたりする必要が生じるなどしてロック解除の利便性が悪かった。また、同型機種のデジタルカメラを所持している者であれば、実行キーとキャンセルキーの同時押しでロック機構を解除できることを知っているため、簡単にロック機構が解除されてしまう虞がある。
【課題を解決するための手段】
【０００４】
本発明は、このような課題を解決するためになされたもので、回転操作部材の回転操作と停止操作との所定の繰り返し操作によってコマンドを入力する回転操作部材からなる入力手段と、回転操作部材の回転方向と回転操作部材の停止位置との組み合わせの種類によって定められている入力手段で入力されたコマンドを検出するコマンド検出手段と、このコマンド検出手段で検出されたコマンドに応じた制御を行う制御手段とを備えたことを特徴とする。
【０００５】
この構成によれば、１つの入力手段に対して所定の繰り返し操作を行うことによってコマンドを簡易的に入力することができる。このため、従来の撮影装置のように、異なる２つのキーを同時操作する必要がなく、撮影装置を持ち替えたりする必要が生じないため、コマンド入力操作の利便性がよくなる。また、どの２つのキーを同時押しすれば良いのか分からなくなるといった不都合も生じない。
【０００６】
また、コマンドは、回転操作部材の回転方向と回転操作部材の停止位置との組み合わせの種類によって定められるため、従来の、２つのキーの同時押しでコマンドを生成する構成と比べて、複雑なコマンドのパターンを構成することができる。
【０００７】
また、本発明は、コマンドがセキュリティロック解除コマンドであり、制御手段は、入力手段によって入力されたコマンドがコマンド検出手段によって検出されると、所定の動作を制限するセキュリティロックを解除することを特徴とする。
【０００８】
この構成によれば、セキュリティロック解除コマンドを、回転操作部材の回転方向と回転操作部材の停止位置との組み合わせの種類によって複雑なコマンドのパターンで構成することができる。このため、同型機種の撮影装置を所持している者であっても、従来のようにセキュリティロックを簡単に解除することができなくなる。
【０００９】
また、本発明は、制御手段が、電源スイッチがオフに切り換えられている状態の時にコマンドがコマンド検出手段によって検出されると、セキュリティロックを解除して所定の動作の制限を解くことを特徴とする。
【００１０】
この構成によれば、セキュリティロック解除コマンドを入力するに際し、電源スイッチをオンに切り換える必要がないので、セキュリティロック解除コマンドの入力操作を素早く行える。また、電源スイッチをオンに切り換えて、コマンドを入力するメニュー画面を表示装置に表示させずにすむので、表示装置にメニュー画面を表示させる電力や、マイコン処理を必要としなくなる。このため、マイコン処理が簡素化すると共に、低消費電力でセキュリティロックを解除することができる。
【００１１】
また、本発明は、制御手段が、電源スイッチがオンに切り換えられている状態の時にコマンドがコマンド検出手段によって検出されると、セキュリティロックを解除して所定の動作の制限を解くことを特徴とする。
【００１２】
この構成によれば、電源スイッチをオンに切り換えた後、セキュリティロック解除コマンドを入力することにより、セキュリティロックを解除して所定の動作の制限を解くことができる。このため、電源スイッチがオフに切り換えられている状態の時にコマンド検出手段がコマンドを常時検出している必要がなくなり、電源スイッチがオフの時の処理を簡素化して消費電力を低減することができる。
【００１３】
また、本発明は、制御手段が、電源スイッチがオンに切り換えられていて動作を一時停止している待機状態で、セキュリティロックが掛けられている時に、コマンドがコマンド検出手段によって検出されると、待機状態を解除すると共に、セキュリティロックを解除して所定の動作の制限を解くことを特徴とする。
【００１４】
この構成によれば、撮影装置が待機状態でセキュリティロックが掛けられている場合に、セキュリティロック解除コマンドを入力することにより、待機状態およびセキュリティロックが解除されて所定の動作の制限が解かれる。このため、撮影装置が待機状態でセキュリティロックが掛けられている場合でも、所望のタイミングにセキュリティロック解除コマンドを入力することにより、待機状態を解除して、制限されている所定の動作を起動させることができる。
【００１５】
また、本発明は、セキュリティロックが掛けられた状態で、制限されている所定の動作を起動する操作が行われると、セキュリティロックが掛けられている状態であることを表示する表示手段を備えていることを特徴とする。
【００１６】
この構成によれば、ユーザーは、所定の動作を起動する操作ができない場合、表示手段の表示により、セキュリティロックが掛けられていることにより所定の動作が制限されていることを知ることができる。このため、ユーザーが、セキュリティロックが掛けられた状態を故障した状態と誤認する虞が無くなる。
【００１７】
また、本発明は、コマンドが設定切換コマンドであり、制御手段は、コマンドがコマンド検出手段によって検出されると、コマンドに対応した撮影条件の設定に切り換えることを特徴とする。
【００１８】
この構成によれば、例えば、１台の撮影装置を複数のユーザーで使用していても、各ユーザー固有の設定切換コマンドを撮影装置に入力することにより、ＩＳＯ(International Organization for Standardition)感度，シャッター速度，画像処理設定といった撮影装置の撮影条件が、入力された設定切換コマンドに対応したユーザーの撮影条件の設定に切り換えられる。このため、ユーザー設定切換画面を表示装置に表示させてユーザー設定を切り換える場合に比べて、ユーザー毎の撮影条件の設定が簡単に行える。
【発明の効果】
【００１９】
本発明によれば、上記のように、従来の撮影装置のように、異なる２つのキーを同時操作する必要がなく、撮影装置を持ち替えたりする必要が生じないため、コマンド入力操作の利便性がよくなる。また、どの２つのキーを同時押しすれば良いのか分からなくなるといった不都合も生じない。
【発明を実施するための最良の形態】
【００２０】
次に、本発明による撮影装置をデジタルカメラに適用した場合における、本発明を実施するための最良の形態について説明する。
【００２１】
図１は、第１の実施の形態によるデジタルカメラの回路構成の概略を示すブロック図である。
【００２２】
ＣＰＵ(Central Processing Unit)１０は、フラッシュメモリ１１に格納されたファームウェアプログラムのうち、その時に必要になるものを一時記憶作業領域として機能するＳＤＲＡＭ(Synchronous Dynamic Random Access Memory)１２に書き込み、このブートしたプログラムに基づいてカメラ内の各部の制御を行う。
【００２３】
鏡筒部１６はその表面がバリア１４で覆われて保護されており、撮影時には、ＣＰＵ１０によってモーター制御部１５が駆動制御されて、バリア１４が開く。鏡筒部１６に入射した光は、屈曲式にカメラボディの内部に配置された撮影レンズを介して、撮像部１３に導かれる。撮像部１３は、ＣＣＤ(Charge Coupled Devices)センサを備えており、このＣＣＤセンサには鏡筒部１６によって被写体像が投影される。撮像部１３は、被写体を撮像する撮像手段を構成している。
【００２４】
ＣＰＵ１０は、モータ制御部１７を駆動制御して鏡筒部１６の撮影レンズを移動して、撮像部１３に投影される被写体像の焦点を自動的に調節する自動焦点調節(ＡＦ(Auto Focus))処理を行う。また、ＣＰＵ１０は、モータ制御部１８を駆動制御して絞り機構１９の開口量を調節して、撮像部１３に投影される被写体像の光量を自動的に調節する自動露出調節(ＡＥ(Auto Exposure))処理を行う。また、ＣＰＵ１０は、画像処理部２０において、撮像部１３によって撮像される被写体像に対して所定の画像処理を行う。
【００２５】
この画像処理では、撮像部１３が出力した画像データに対して、ガンマ補正等の画像補正や、階調変換、色変換等を施して現像画像データを生成する。そして、生成した現像画像データを所定の比率で圧縮する圧縮処理を行い、ＪＰＥＧ(Joint Photographic Experts Group)やＴＩＦＦ(Tagged Image File Format)等の圧縮画像データを生成する。また、現像画像が動画像の場合には、ＪＰＥＧに準じた画像の圧縮，フレーム間予測，動き補償等のアルゴリズムを組合せた圧縮処理を行い、ＭＰＥＧ(Motion Picture Experts Group)等の圧縮画像データを生成する。圧縮処理が行われた画像データは、ＳＤＲＡＭ１２に一時的に格納され、ＬＣＤ(液晶ディスプレイ(Liquid Crystal Display))２３に表示されると共に、メモリカード等の記録部２１に記録される。ＬＣＤ２３は撮像部１３によって撮像される被写体像を表示する画像表示手段を構成している。また、撮像部１３によって動画像が撮影される場合は音声入出力部２２から入力される音声もＳＤＲＡＭ１２に一時的に格納され、ＬＣＤ２３に表示されると共に、記録部２１に記録される。記録部２１に記録された画像データは、動画像が撮影された場合は音声入出力部２２から出力される音を伴って、ＬＣＤ２３に表示される。また、画像データおよび音声データは、ＵＳＢ(Universal Serial Bus)Ｉ/Ｆ２４を介してパーソナルコンピュータ等に出力され、保存される。
【００２６】
また、ＣＰＵ１０は、レリーズボタン５、電源スイッチ６、およびモードダイヤル７等を監視している。また、ＣＰＵ１０に接続されたサブマイコン９は、電源スイッチ６がオフに切り換えられている時、バックアップ電池８からの電力供給を受けてレリーズボタン５、電源スイッチ６、およびモードダイヤル７等を監視している。レリーズボタン５は、撮影時に操作されるシャッターボタンである。電源スイッチ６は、操作されると、デジタルカメラの内部の各回路に供給される動作電源のオン・オフを切り換える。モードダイヤル７は、ユーザーが撮影場所や撮影状況あるいは撮影目的に応じて最適な撮影モードを設定する際に操作される。
【００２７】
モードダイヤル７は、円板状をした回転操作部材からなり、円板中心を回転中心にして左回転または右回転の回転操作がされる。このモードダイヤル７には円板の周縁に沿って山、花、星空といった複数の絵柄（以下アイコンと記す）が描かれている。各アイコンは、デジタルカメラにおける撮影モードを表しており、例えば、山のアイコンは風景撮影、花のアイコンは近距離撮影、星空のアイコンは夜景撮影の撮影モードを表している。ＣＰＵ１０は、モードダイヤル７が回転操作されて、所定の指標に合わして停止されたアイコンに対応した撮影モードを、デジタルカメラに設定する。例えば、ユーザーが“山”のアイコンを所定の指標に合わして停止させると風景撮影に適した設定がされ、“花”のアイコンを所定の指標に合わして停止させると近距離撮影に適した設定がされ、“星空”のアイコンを所定の指標に合わして停止させると夜景撮影に適した設定がされる。
【００２８】
また、モードダイヤル７は、所定の繰り返し操作によってコマンドを入力する入力手段を構成している。本実施形態では、この所定の繰り返し操作は、モードダイヤル７の回転操作と停止操作との繰り返し操作である。また、サブマイコン９は、入力手段で入力されたコマンドを検出するコマンド検出手段を構成していると共に、このコマンド検出手段で検出されたコマンドに応じた制御を行う制御手段を構成している。コマンドは、モードダイヤル７の回転方向とモードダイヤル７の停止位置との組み合わせの種類によって定められ、ユーザーが自由に設定できる。ユーザーによってコマンドに対応して設定されたモードダイヤル７の回転方向と停止位置との組み合わせの種類は、フラッシュメモリ１１に記録される。
【００２９】
コマンドには、デジタルカメラの起動を所定の動作として制限するセキュリティロック状態を解除して、デジタルカメラの使用を可能にするセキュリティロック解除コマンドがある。サブマイコン９は、電源スイッチ６がオフに切り換えられている状態の時に、または後述する待機状態の時に、モードダイヤル７で所定の繰り返し操作を検出すると、ＣＰＵ１０を起動させてセキュリティロック解除コマンドをＣＰＵ１０へ出力する。このセキュリティロック解除コマンドを表わす所定の繰り返し操作としては、例えば、モードダイヤル７を右方向に回転させて“花”のアイコンを所定の指標に合わして停止させ、次に、逆の左方向に回転させて“星空”のアイコンを所定の指標に合わして停止させ、次に、逆の右方向に回転させて“山”のアイコンを所定の指標に合わして停止させる操作などがある。ＣＰＵ１０は、サブマイコン９から出力されたセキュリティロック解除コマンド受信すると、セキュリティロックを解除してデジタルカメラの起動の制限を解く制御を行う。
【００３０】
また、ＣＰＵ１０は、電源スイッチ６がオンに切り換えられていて、デジタルカメラが操作されずに所定時間（例えば、６［ｓｅｃ］）が経過すると、デジタルカメラの動作を一時停止させる待機状態にさせると共に、デジタルカメラの起動を制限するセキュリティロックを掛ける。この時にセキュリティロック解除コマンドがサブマイコン９によって検出されると、サブマイコン９は、ＣＰＵ１０へ信号を送出して待機状態を解除させると共に、セキュリティロックを解除させてデジタルカメラの起動の制限を解除する。また、サブマイコン９は、セキュリティロックが掛けられた待機状態で、制限されているデジタルカメラの起動操作をユーザーが行うと、ＬＣＤ２３にセキュリティロックが掛けられている状態であることを表示する。ＬＣＤ２３は、セキュリティロックが掛けられた状態で、制限されている所定の動作を起動する操作が行われると、セキュリティロックが掛けられている状態であることを表示する表示手段を構成している。
【００３１】
図２は、本実施形態におけるデジタルカメラの制御処理を示したフローチャートである。
【００３２】
この制御処理では、サブマイコン９は、電源スイッチ６がオフに切り換えられている状態で、Ｓ１において、モードダイヤル７の回転操作が検出されたか否かを判定する。モードダイヤル７の回転操作が検出されず、この判定が“Ｎｏ”であった場合、サブマイコン９は処理をＳ１へ戻す。一方、モードダイヤル７の回転操作が検出されて、Ｓ１の判定が“Ｙｅｓ”であった場合、サブマイコン９は、回転操作の入力履歴をＳＤＲＡＭ１２に一時記憶する。そして、Ｓ２において、ＳＤＲＡＭ１２に記憶した、モードダイヤル７の回転方向と停止位置との組み合わせが、ユーザーが予めフラッシュメモリ１１に記録しておいたセキュリティロック解除コマンドと一致したか否かを判定する。この判定が“Ｎｏ”であった場合、サブマイコン９は、Ｓ３において、モードダイヤル７が右方向に２回転以上回転操作されてリセット入力が検出されたか否かを判定する。この判定が“Ｙｅｓ”の場合には、サブマイコン９は、Ｓ４において、ＳＤＲＡＭ１２に記憶したモードダイヤル７の入力履歴をリセットして、処理をＳ１に戻す。一方、リセット入力が検出されないでＳ３の判定が“Ｎｏ”の場合には、サブマイコン９は、ＳＤＲＡＭ１２に記憶したモードダイヤル７の入力履歴をリセットせずに、処理をＳ１に戻す。
【００３３】
また、モードダイヤル７によって入力されたコマンドが予めフラッシュメモリ１１に記録しておいたセキュリティロック解除コマンドと一致して、Ｓ２の判定が“Ｙｅｓ”であった場合、サブマイコン９はＣＰＵ１０を起動させて、Ｓ５において、ＣＰＵ１０に電源スイッチ６をオフからオンに切り換えさせる。
【００３４】
起動されたＣＰＵ１０は、Ｓ６において、セキュリティロックを解除する処理を行う。続いて、ＣＰＵ１０は、Ｓ７において、レリーズボタン５の押下操作に応じて撮影処理を行う。この撮影処理において、ＣＰＵ１０は、撮像部１３によって撮像されて画像処理部２０で画像処理された画像を、記録部２１に記録する。次に、ＣＰＵ１０は、Ｓ８において、デジタルカメラが操作されずに所定時間（例えば、６［ｓｅｃ］）が経過し、デジタルカメラを待機状態にするか否かを判定する。この判定が“Ｎｏ”であった場合、ＣＰＵ１０は、Ｓ９において、電源スイッチ６がオンからオフに切り換えられたか否かを判別する。この判別が“Ｎｏ”である場合には、Ｓ７の処理に戻り、上述の処理を繰り返す。一方、電源スイッチ６がオフに切り換えられて、Ｓ９の判別が“Ｙｅｓ”であった場合には、ＣＰＵ１０は、Ｓ１０において、デジタルカメラの各回路への電源供給を停止して撮影を終了する処理を行い、デジタルカメラの制御処理を終了する。
【００３５】
また、デジタルカメラが操作されずに所定時間が経過し、Ｓ８の判定が“Ｙｅｓ”であった場合、ＣＰＵ１０は、デジタルカメラを待機状態にし、Ｓ１１において、デジタルカメラにセキュリティロックを掛ける処理を行う。セキュリティロックが掛けられると制御処理はＣＰＵ１０からサブマイコン９に移される。制御処理を受け負ったサブマイコン９は、Ｓ１２において、レリーズボタン５が押下されるなどしてデジタルカメラの動作を起動する操作がされたか否かを判別する。この判別が“Ｙｅｓ”であった場合には、サブマイコン９は、Ｓ１３において、デジタルカメラにセキュリティロックが掛けられてロック状態である旨をＬＣＤ２３に表示させる処理をし、その後、処理をＳ１２に戻す。一方、デジタルカメラが操作されないでＳ１２の判定が“Ｎｏ”であった場合、サブマイコン９は、Ｓ１４において、モードダイヤル７の回転操作が検出されたか否かを判定する。モードダイヤル７の回転操作が検出されず、この判定が“Ｎｏ”であった場合、サブマイコン９は処理をＳ１２へ戻す。一方、モードダイヤル７の回転操作が検出されて、Ｓ１４の判定が“Ｙｅｓ”であった場合、サブマイコン９は、Ｓ１５において、モードダイヤル７の回転方向と停止位置との組み合わせで定まるコマンドが、ユーザーが予めフラッシュメモリ１１に記録したセキュリティロック解除コマンドと一致したか否かを判定する。この判定が“Ｎｏ”であった場合、サブマイコン９は、Ｓ１６において、モードダイヤル７が右方向に２回転以上回転操作されてリセット入力が検出されたか否かを判定する。この判定が“Ｙｅｓ”の場合には、サブマイコン９は、Ｓ１７において、ＳＤＲＡＭ１２に記憶されたモードダイヤル７の入力履歴をリセットして、処理をＳ１２に戻す。一方、リセット入力が検出されないでＳ１６の判定が“Ｎｏ”の場合には、サブマイコン９は、ＳＤＲＡＭ１２に記憶されたモードダイヤル７の入力履歴をリセットせずに、処理をＳ１２に戻す。
【００３６】
また、モードダイヤル７によって入力されたコマンドが予めフラッシュメモリ１１に記録されたセキュリティロック解除コマンドと一致し、Ｓ１５の判定が“Ｙｅｓ”であった場合、サブマイコン９はＣＰＵ１０を起動させて、Ｓ１８において、ＣＰＵ１０に待機状態を解除させると共に、セキュリティロックを解除させる処理を行わせる。起動されたＣＰＵ１０は、その後、上述したＳ７からＳ１０の処理を行う。
【００３７】
このような本実施形態によるデジタルカメラによれば、上述したように、ユーザーは、１つのモードダイヤル７に対して所定の繰り返し操作を行うことによって、その操作は図２、Ｓ１，Ｓ１４で検出され、セキュリティロック解除コマンドを簡易的に入力することができる。このため、従来のデジタルカメラのように、異なる２つのキーを同時操作する必要がなく、デジタルカメラを持ち替えたりする必要が生じないため、コマンド入力操作の利便性がよくなる。また、１つのモードダイヤル７に対して所定の繰り返し操作を行うことによってコマンドを入力することにより、従来のデジタルカメラのように、どの２つのキーを同時押しすれば良いのか分からなくなるといった不都合も生じなくなる。
【００３８】
また、本実施形態によるデジタルカメラによれば、コマンドは、モードダイヤル７の回転方向とモードダイヤル７の停止位置との組み合わせの種類によって定められるため、従来のデジタルカメラのように、２つのキーの同時押しでコマンドを生成する構成と比べて、複雑なコマンドのパターンを構成することができる。
【００３９】
また、本実施形態によるデジタルカメラによれば、セキュリティロック解除コマンドを、モードダイヤル７の回転方向と停止位置との組み合わせの種類によって複雑なコマンドのパターンで構成することができる。このため、同型機種のデジタルカメラを所持している者であっても、他人のデジタルカメラのセキュリティロック解除コマンドは分からないので、従来のように簡単にセキュリティロックが解除されてしまう虞がなくなる。また、セキュリティロック解除コマンドを各ユーザー固有のものとすることにより、セキュリティロックが解除されてデジタルカメラが起動する際、カメラの設定状態を各ユーザーの個人的なものとすることが可能になる。
【００４０】
また、本実施形態によるデジタルカメラによれば、セキュリティロック解除コマンドを入力するに際し、その入力操作は、図２，Ｓ５で電源スイッチ６がオンにされる前のＳ１の処理で検出され、電源スイッチ６をオンに切り換えずに行える。このため、セキュリティロック解除コマンドの入力操作を素早く行える。また、電源スイッチ６をオンに切り換えて、コマンドを入力するメニュー画面をＬＣＤ２３に表示させずにすむので、ＬＣＤ２３にメニュー画面を表示させる電力や、ＣＰＵ１０のマイコン処理を必要としなくなる。このため、ＣＰＵ１０のマイコン処理が簡素化すると共に、低消費電力でセキュリティロックを解除することができる。
【００４１】
また、本実施形態によるデジタルカメラによれば、デジタルカメラが動作を一時停止している図２、Ｓ８の待機状態で、Ｓ１１によってセキュリティロックが掛けられている時に、セキュリティロック解除コマンドがサブマイコン９によってＳ１５で検出されると、Ｓ１８において、待機状態が解除されると共に、セキュリティロックが解除されてデジタルカメラの起動の制限が解かれる。このため、デジタルカメラが待機状態でセキュリティロックが掛けられている場合でも、所望のタイミングにセキュリティロック解除コマンドをモードダイヤル７によって入力することにより、待機状態を解除して、デジタルカメラを起動させることができる。
【００４２】
また、本実施形態によるデジタルカメラによれば、デジタルカメラの動作を起動する操作ができないことが図２、Ｓ１２で検出された場合、Ｓ１３において、ＬＣＤ２３にセキュリティロックが掛けられた状態である旨が表示される。このＬＣＤ２３の表示により、ユーザーは、セキュリティロックが掛けられていることによりデジタルカメラの起動が制限されていることを知ることができる。このため、ユーザーが、セキュリティロックが掛けられた状態を故障した状態と誤認する虞が無くなる。
【００４３】
次に、本発明の第２の実施形態について説明する。
【００４４】
この第２の実施形態によるデジタルカメラの回路構成は、上述した第１の実施形態によるデジタルカメラと同様の図１に示す回路構成をしており、その説明は省略する。また、本実施形態では、ＣＰＵ１０は、モードダイヤル７で入力されたコマンドを検出するコマンド検出手段を構成していると共に、このコマンド検出手段で検出されたコマンドに応じた制御を行う制御手段を構成している。
【００４５】
図３は、第２の実施形態におけるデジタルカメラの制御処理を示したフローチャートである。なお、同図において図２と同一または相当する部分には同一符号を付してその説明は省略する。
【００４６】
この制御処理では、サブマイコン９は、Ｓ２１において、電源スイッチ６がオフからオンに切り換えられたか否かを判定する。この判定が“Ｎｏ”であった場合、サブマイコン９は、処理をＳ２１に戻す。一方、電源スイッチ６がオンに切り換えられて、Ｓ２１の判定が“Ｙｅｓ”であった場合、サブマイコン９は、ＣＰＵ１０を起動させる。起動されたＣＰＵ１０は、Ｓ２２において、デジタルカメラにセキュリティロックが掛けられたロック状態である旨を、ＬＣＤ２３に表示させる処理を行う。
【００４７】
次に、ＣＰＵ１０は、Ｓ２３において、モードダイヤル７の回転操作が検出されたか否かを判定する。モードダイヤル７の回転操作が検出され、この判定が“Ｙｅｓ”であった場合、ＣＰＵ１０は、Ｓ２４において、モードダイヤル７の回転方向と停止位置との組み合わせで定まるコマンドが、ユーザーが予めフラッシュメモリ１１に記録したセキュリティロック解除コマンドと一致したか否かを判定する。この判定が“Ｙｅｓ”であった場合、ＣＰＵ１０は、Ｓ６〜Ｓ１８の処理を図２のＳ６〜Ｓ１８と同様にして行う。
【００４８】
一方、モードダイヤル７によって入力されたコマンドが予めフラッシュメモリ１１に記録されたセキュリティロック解除コマンドと一致せず、Ｓ２４の判定が“Ｎｏ”であった場合、ＣＰＵ１０は、Ｓ２５において、モードダイヤル７が右方向に２回転以上回転操作されてリセット入力が検出されたか否かを判定する。この判定が“Ｙｅｓ”の場合には、ＣＰＵ１０は、Ｓ２６において、ＳＤＲＡＭ１２に記憶されたモードダイヤル７の入力履歴をリセットする。次に、ＣＰＵ１０は、Ｓ２６の処理の後、またはモードダイヤル７の回転操作が検出されずにＳ２３の判定が“Ｎｏ”であった場合、またはリセット入力が検出されずにＳ２５の判定が“Ｎｏ”であった場合、Ｓ２７において、電源スイッチ６がオンからオフに切り換えられたか否かを判定する。この判定が“Ｎｏ”であった場合、ＣＰＵ１０は処理をＳ２３へ戻す。一方、電源スイッチ６がオフに切り換えられて、Ｓ２７の判定が“Ｙｅｓ”であった場合、ＣＰＵ１０は、Ｓ１０において終了処理を行い、デジタルカメラの制御処理を終了する。
【００４９】
このような、本実施形態によるデジタルカメラによれば、前述した第１の実施形態によるデジタルカメラと同様な作用効果が奏される。さらに、本実施形態によるデジタルカメラによれば、電源スイッチ６をオフからオンに切り換えた操作が図３、Ｓ２１で検出された後、セキュリティロック解除コマンドを入力する操作がＳ２３，Ｓ２４で検出されることにより、Ｓ６において、セキュリティロックが解除されてデジタルカメラの起動の制限が解かれる。このため、電源スイッチ６がオフに切り換えられている状態の時に、サブマイコン９がセキュリティロック解除コマンドの入力を常時検出している必要がなくなり、電源スイッチ６がオフの時の処理を簡素化してバックアップ電池８の消費電力を低減することができる。
【００５０】
なお、上記の各実施形態では、コマンドがセキュリティロックを解除するセキュリティロック解除コマンドである場合を説明したが、本発明はこれに限られることはない。例えば、デジタルカメラの撮影条件（ＩＳＯ感度，シャッター速度，画像処理設定など）の設定を切り換える設定切換コマンドであってもよい。コマンドが設定切換コマンドである場合、ＣＰＵ１０は、コマンドがコマンド検出手段によって検出されると、設定切換コマンドに対応した撮影条件の設定に切り換える。この構成によれば、例えば、１台のデジタルカメラを複数のユーザーで使用していても、各ユーザー固有の設定切換コマンドをデジタルカメラに入力することにより、ＩＳＯ感度，シャッター速度，画像処理設定といったデジタルカメラの撮影条件が、入力された設定切換コマンドに対応したユーザーの撮影条件の設定に切り換えられる。このため、ユーザー設定切換画面をＬＣＤ２３に表示させてユーザー設定を切り換える場合に比べて、ユーザー毎の撮影条件の設定が簡単に行える。
【００５１】
また、上記の各実施形態においては、入力手段として撮影モードを設定するモードダイヤル７を用いた構成を説明したが、本発明はこれに限られることはない。例えば、デジタルカメラの撮影条件などを設定するコマンドダイヤルなどの回転操作部材を用いた構成でもよい。また、回転操作部材に代えて十字キーなどの方向操作部材を用いた構成にしてもよい。この方向操作部材を用いた構成では、例えば、各方向の入力操作の組み合わせの種類などによってコマンドの種類が決定される。この構成によっても、回転操作部材を用いた構成と同様の作用効果が得られる。
【００５２】
また、上記の各実施形態においては、セキュリティロック解除コマンドの入力を誤った際や、モードダイヤルの回転方向と停止位置との組み合わせ数がオーバーフローした場合などに、モードダイヤル７を右方向に２回転以上回転操作させて、入力したセキュリティロック解除コマンドをリセットする構成としたが、本発明はこれに限られることはなく、その回転方向や回転数は適宜変更するようにしてもよい。また、デジタルカメラにリセットボタンを設け、このリセットボタンの操作で入力したコマンドをリセットする構成としてもよい。
【００５３】
また、上記の各実施形態においては、モードダイヤル７の回転方向を反転させることによって、所定の指標に合わして停止させたモードダイヤル７の読み込み回転位置を決定する構成を用いたが、本発明はこれに限られることはない。例えば、デジタルカメラに入力決定ボタンを設け、この入力決定ボタンの操作により、所定の指標に合わして停止されたモードダイヤル７の読み込み回転位置を決定する構成としてもよい。また、モードダイヤル７の回転が所定時間以上止まっている場合に、所定の指標に合わして停止されたモードダイヤル７の読み込み回転位置を決定する構成としてもよい。
【００５４】
また、上記の各実施形態においては、セキュリティロックの作動時はデジタルカメラの起動を制限する構成としたが、本発明はこれに限られることはない。例えば、内部メモリの削除・再生・アクセスなどの動作を所定の動作として制限する構成としてもよい。
【産業上の利用可能性】
【００５５】
上記の各実施形態においては、本発明による撮影装置をデジタルカメラに適用した場合について説明したが、動画像を撮影するデジタルビデオカメラなどの撮影装置に、本発明を適用することも可能である。このような撮影装置に本発明を適用した場合においても、上記の各実施形態と同様の作用効果が奏される。
【図面の簡単な説明】
【００５６】
【図１】本発明の第１および第２の実施形態によるデジタルカメラの回路構成の概略を示すブロック図である。
【図２】第１の実施形態におけるデジタルカメラの制御処理を示したフローチャートである。
【図３】第２の実施形態におけるデジタルカメラの制御処理を示したフローチャートである。
【符号の説明】
【００５７】
５…レリーズボタン
６…電源スイッチ
７…モードダイヤル
８…バックアップ電池
９…サブマイコン
１０…ＣＰＵ
１１…フラッシュメモリ
１２…ＳＤＲＡＭ
２３…ＬＣＤ
【図１】
2010166134.tif 000003
【図２】
2010166134.tif 000004
【図３】
2010166134.tif 000005